(57)【要約】  本発明は、日本語基本画を用いた入力装置に関し、より詳しくは日本語基本文字を形成するのに使用される基本画が選定され、移動通信端末器のようなキーパッドに前記基本画が割り当てられ、複雑な日本語を容易に入力することができる基本画を用いた日本語入力装置に関する。本発明は、カタカナ及びひらがなの基本文字の筆順に基づいて前記基本文字を形成するのに必要な基本画を選定し、日本語を入力することができるように、制限された数の端末器キーパッドに、前記基本画の入力キーと促音、拗音、濁音および半濁音のためのファンクションキーを割り当てて構成される。従って、日本語文字の筆順に合うように選定された基本画を用いて日本語を容易に入力することができ、少ない数のキー入力回数でも迅速に日本語を入力することができ、ファンクションキーを追加することなく制限された数の入力キーを有する各種電子機器および移動端末器に適用することができる。
2010525481.tif 000002
【特許請求の範囲】
【請求項１】
日本語を入力する装置において、
日本語文字の基本画がそれぞれ割り当てられた基本画キー１１、２１を含むキー入力部１００と；
前記基本画に対するデータが保存される基本画データ保存部４０と；
基本画の組み合わせから形成される日本語基本文字のデータが保存される文字データ保存部５０と；
入力された基本画の組み合わせから前記文字データ保存部５０の基本文字を抽出する文字形成部６０と；
形成された文字を出力する表示部７０と；
入力された基本画キー１１、２１により基本画のデータおよび文字データを基づいて文字を形成し、形成された文字を出力させるようにする制御部３０と；
を含んで構成されることを特徴とする基本画を用いた日本語入力装置。
【請求項２】
前記キー入力部１００は、
基本文字を濁音、半濁音、拗音または漢字に変換するファンクションキーを更に備え；
前記文字データ保存部５０は、
基本文字を濁音、半濁音、拗音または漢字に変換するためのデータを更に含み；
前記文字形成部６０は、
前記ファンクションキーの入力により対応する文字データ保存部５０の情報に基づいて変換された文字を前記表示部７０に出力することを特徴とする請求項１に記載の基本画を用いた日本語入力装置。
【請求項３】
ひらがな文字に対応する前記基本画は、
【数１】
2010525481.tif 000062
からなることを特徴とする請求項１に記載の基本画を用いた日本語入力装置。
【請求項４】
前記文字形成部６０は、
【数２】
2010525481.tif 000063
【数３】
2010525481.tif 000064
を形成し、前記制御部３０の制御により前記表示部７０に形成された前記基本文字を出力することを特徴とする請求項３に記載の基本画を用いた日本語入力装置。
【請求項５】
ひらがな文字に対応する基本画キーは、
【数４】
2010525481.tif 000065
からなり、
前記文字形成部６０は、請求項４に記載の各基本文字を入力するための基本画が含まれる前記基本画キーが１回ずつ入力されると、該当する基本文字を形成し、前記制御部３０の制御により前記表示部７０に形成された前記基本文字を出力することを特徴とする請求項４に記載の基本画を用いた日本語入力装置。
【請求項６】
カタカナ文字に対応する前記基本画キーは、
【数５】
2010525481.tif 000066
からなることを特徴とする請求項１に記載の基本画を用いた日本語入力装置。
【請求項７】
前記文字形成部６０は、
【数６】
2010525481.tif 000067
【数７】
2010525481.tif 000068
を形成し、前記制御部３０の制御により前記表示部７０に形成された前記基本文字を出力することを特徴とする請求項６に記載の基本画を用いた日本語入力装置。
【請求項８】
カタカナ文字に対応する基本画キーは、
【数８】
2010525481.tif 000069
からなり、
前記文字形成部６０は、請求項７に記載の各基本文字を入力するための基本画が含まれる前記基本画キーが１回ずつ入力されると、該当する基本文字を形成し、前記制御部３０の制御により前記表示部７０に形成された前記基本文字を出力することを特徴とする請求項７に記載の基本画を用いた日本語入力装置。
【請求項９】
ひらがな文字に対応する前記基本画は、
【数９】
2010525481.tif 000070
または
【数１０】
2010525481.tif 000071
からなることを特徴とする請求項１に記載の基本画を用いた日本語入力装置。
【請求項１０】
前記文字形成部６０は、
【数１１】
2010525481.tif 000072
【数１２】
2010525481.tif 000073
【数１３】
2010525481.tif 000074
を形成し、前記制御部３０の制御により前記表示部７０に形成された前記基本文字を出力することを特徴とする請求項９に記載の基本画を用いた日本語入力装置。
【請求項１１】
ひらがなに対応する前記基本画は、
【数１４】
2010525481.tif 000075
または
【数１５】
2010525481.tif 000076
からなることを特徴とする請求項１に記載の基本画を用いた日本語入力装置。
【請求項１２】
前記文字形成部６０は、
【数１６】
2010525481.tif 000077
【数１７】
2010525481.tif 000078
【数１８】
2010525481.tif 000079
を形成し、前記制御部３０の制御により前記表示部７０に形成された前記基本文字を出力することを特徴とする請求項１１に記載の基本画を用いた日本語入力装置。
【発明の詳細な説明】
【技術分野】
【０００１】
本発明は、基本画を用いた日本語入力装置に関し、より詳しくは、カタカナおよびひらがなの基本文字の筆順に基づいて選定された基本画と、促音、拗音、濁音および半濁音の入力のためのファンクションキーが割り当てられたキーパッドを有する日本語入力装置に関する。
【背景技術】
【０００２】
日本語は４６個の基本文字と、濁音および半濁音を表記する変異文字と、拗音を表記する下添字とから構成され、また、前記文字はカタカナおよびひらがなの２種類の文字で表現されるので、表記される日本語の文字は一般に使用されるコンピュータキーボードの入力キーの数より多い。したがって、日本語を入力するためのキーボードは、４６字の基本文字および各種変換キーが割り当てられて使用されるので、文字入力に多くの時間と努力が必要である。
【０００３】
更に、移動通信端末器と各種電子機器では入力キーの数が極めて制限されていて各数字キーに割り当てられる日本語文字の数が多くなるので、文字入力時にキーボタンを押す回数がより増加する。
【０００４】
図１は、従来の携帯用端末器で日本語文字が割り当てられた入力キーの配列構造を示す例示図である。図１によれば、前記携帯用端末器の数字キーボタンのうち、「１、２、３、４、５、６、７、９」ボタンには、それぞれ「あ行、お行、さ行、た行、な行、は行、ま行、ら行」文字が割り当てられ、「８」ボタンには「や、よおよびゆ」文字が割り当てられ、「０」ボタンには「わ、をおよびん」文字が割り当てられる。したがって、一つのキーに最大五つの文字が割り当てられるので、文字ごとに押さなければならないキーの回数が多くなることはもちろん、平均的にその回数も多くなる。例えば、「あ」行文字列で「お」を入力するためには、１番キーを押す度に「あ→い→う→え→お」の順に変化されて最終的に５回のキー入力が行われる。移動キーのような付加的な操作キーを除いて前記基本文字４６字を一字ずつ全て入力しようとする場合には、「１、２、３、４、５、６、７、９」ボタンがそれぞれ１５回、「８、０」ボタンがそれぞれ６回を押さなければならないので、キー入力の全体回数は１３２回となる。
【０００５】
このような日本語入力の困難さを解消するための従来の技術としては、下記特許文献１“日本語入力装置および方法”と下記特許文献２“移動通信端末器の日本語入力装置および方法”がある。前記の方法では、多数のファンクションキーを追加させたキー入力装置を備え、前記ファンクションキーで文字行の各文字を順番により割り当てる方法と、５０音図により日本語発音をハングルで入力する方式で具現される方法を提示したが、ファンクションキーを追加設置しなければならない困難さと、ハングルに慣れていない日本人には使用することができない問題点がある。また、英語のアルファベットを用いた方法があるが、これも押すキー入力の回数が多く、英語に慣れていない人には使用することが難しい。
【先行技術文献】
【特許文献】
【０００６】
【特許文献１】韓国特許出願公開第１０−２００４−００１１２７９号公報
【特許文献２】韓国特許出願公開第１０−２００４−００１２２１９号公報
【発明の概要】
【発明が解決しようとする課題】
【０００７】
従って、本発明の目的は、少ない数のキー操作で日本語を入力することができる日本語入力装置を提供することにある。
【０００８】
本発明の他の目的は、追加のファンクションキーを設置することなく容易に日本語を入力することができる日本語入力装置を提供することにある。
【０００９】
本発明の更に他の目的は、日本人も容易に用いることができる日本語入力装置を提供することにある。
【課題を解決するための手段】
【００１０】
前記目的を達成するための本発明は、日本語を入力する装置において、日本語文字の基本画がそれぞれ割り当てられた基本画キー１１、２１を含むキー入力部１００と；前記基本画に対するデータが保存される基本画データ保存部４０と；基本画の組み合わせから形成される日本語基本文字のデータが保存される文字データ保存部５０と；入力された基本画の組み合わせから前記文字データ保存部５０の基本文字を抽出する文字形成部６０と；形成された文字を出力する表示部７０と；入力された基本画キー１１、２１により基本画のデータおよび文字データを基づいて文字を形成し、形成された文字を出力させるようにする制御部３０とを含んで構成されることを特徴とする。
【００１１】
前記キー入力部１００は、基本文字を濁音、半濁音、拗音または漢字に変換するファンクションキーを更に備え、前記文字データ保存部５０は、基本文字を濁音、半濁音、拗音または漢字に変換するためのデータを更に含み、前記文字形成部６０は、前記ファンクションキーの入力により対応する文字データ保存部５０の情報に基づいて変換された文字を前記表示部７０に出力することを特徴とする。
【００１２】
ひらがな文字に対応する前記基本画は、
【００１３】
【数１】
2010525481.tif 000003
【００１４】
からなることを特徴とする。
【００１５】
また、カタカナ文字に対応する前記基本画キーは、
【００１６】
【数２】
2010525481.tif 000004
【００１７】
からなることを特徴とする。
【００１８】
ひらがな文字に対応する前記基本画は、
【００１９】
【数３】
2010525481.tif 000005
【００２０】
または
【００２１】
【数４】
2010525481.tif 000006
【００２２】
からなることもできることを特徴とする。
【００２３】
ひらがなに対応する前記基本画は、
【００２４】
【数５】
2010525481.tif 000007
【００２５】
または
【００２６】
【数６】
2010525481.tif 000008
【００２７】
からなることもできることを特徴とする。
【発明の効果】
【００２８】
したがって、前述したように本発明の実施例によれば、少ない数の入力キーに制限されるキーパッドを使用して最適のキー操作により、追加のファンクションキーを設置することなく容易に日本語を入力することができる。
【００２９】
また、本発明は、基本画が基本文字の筆順に基づいて選定されるので、日本人も自ら描く方式で日本語を入力することができる。
【００３０】
また、本発明は、日本語文字を構成する複数の基本画のうちで抽出された少ない数の基本画だけで、一つ方法に限定せずに多様なキー操作により便利に入力することができる。
【図面の簡単な説明】
【００３１】
【図１】従来の携帯用端末器で日本語文字を入力するためのキー配列構造を示す例示図である。
【図２】本発明の実施例による日本語入力装置のブロック構成図である。
【図３】本発明の第１実施例による日本語入力装置であって、ひらがな文字の基本画キーとファンクションキーが割り当てられたキーパッドの例示図である。
【図４】図３のキーパッドを用いてひらがな基本文字を入力する方法を示す図面である。
【図５】本発明の第２実施例による日本語入力装置であって、カタカナ文字の基本画キーとファンクションキーが割り当てられたキーパッドの例示図である。
【図６】図５のキーパッドを用いてカタカナ基本文字を入力する方法を示す図面である。
【図７】本発明の第３実施例によるひらがな基本文字入力方法を示す図面である。
【図８】本発明の第４実施例によるカタカナ基本文字入力方法を示す図面である。
【発明を実施するための形態】
【００３２】
図２は、本発明の実施例による日本語入力装置のブロック構成図である。
図２による本発明の基本画を用いた日本語入力装置は、日本語文字の基本画がそれぞれ割り当てられた基本画キー１１−０〜９、２１−０〜９と、濁音または半濁音の上添字が割り当てられ、基本文字を漢字に変換する機能が割り当てられた上添字キー１２、２２と、拗音を表現する下添字が割り当てられた下添字キー１３、２３とから構成されるキー入力部１００と；基本画に対するデータが保存される基本画データ保存部４０と；基本画の組み合わせにより形成されるひらがなおよびカタカナの基本文字と漢字の情報が保存される文字データ保存部５０と；入力された基本画の組み合わせにより前記文字データ保存部５０の基本文字を形成する文字形成部６０と；形成された文字を出力する表示部７０と；入力された基本画キー１１−０〜９、２１−０〜９により基本画のデータおよび文字データに基づいて文字を形成し、形成された文字を出力させるようにする制御部３０と；を含んで構成される。
【００３３】
前記キー入力部１００は、一般電子機器または移動通信端末器などで有するファンクションキーや補助キーなどを更に含んで構成されてもよく、ひらがな文字をカタカナ文字に変換したりカタカナ文字をひらがな文字に変換する機能が更に割り当てられて構成されてもよく、また、別途のファンクションキーが設置されて前記変換機能を行ってもよい。
【００３４】
場合によっては、前記基本画データ保存部４０は、前記文字形成部６０に含まれてもよく、この時は基本画にデータが文字形成アルゴリズムに含まれてなる。
【００３５】
前記表示部７０には、前記キー入力部１０、２０により基本画キーが押されると前記制御部３０により対応する基本画が出力され、前記文字形成部６０で一文字が形成されると出力された基本画が形成された文字に交替されて出力される。
【００３６】
図３は、本発明の第１実施例による日本語入力装置であって、ひらがな文字の基本画とファンクションキーが割り当てられた入力キーを説明するための例示図である。
【００３７】
図３によれば、キーパッドの番号キー「１、２、３、４、５、６、７、８、９、０」には基本画１６個が割り当てられ、ファンクションキー「＊」には単語を濁音、半濁音または漢字に変換する機能が割り当てられ、ファンクションキー「＃」には文字を拗音に変換する機能が割り当てられる。
【００３８】
前記基本画は、
【００３９】
【数７】
2010525481.tif 000009
【００４０】
であり、番号キー「１、５、６、７」にはそれぞれ１個の前記基本画が割り当てられ、番号キー「２、３、４、８、９、０」には類似する基本画が２個ずつ割り当てられる。これによる基本画キー１１−１〜０は、
【００４１】
【数８】
2010525481.tif 000010
【００４２】
などで番号キー「１、２、３、４、５、６、７、８、９、０」にそれぞれ割り当てられる。
【００４３】
前記基本画は使用頻度を考慮して再配置されることもでき、２個ずつ割り当てられるキーも変形して適用されることもできる。また、ファンクションキーも適用される機器により位置または割り当てられる方式などを変形して適用されることもできる。
【００４４】
以下の表１は、ひらがな基本文字を形成するための前記基本画の組み合わせおよび前記基本画が入力される順序を示す表である。表１で、「基本画の組み合わせ」は「基本文字」を形成することにおいて使用される基本画と前記基本画の筆順を示し、本発明は前記の基本画と筆順に基づいて行われ、以下の図４でそれに対する詳細な説明を一例で例示する。
【００４５】
【表１】
2010525481.tif 000011
【００４６】
図４は、図３のキーパッドを用いてひらがな基本文字を入力する方法を示す図面である。図４によれば、２回の基本画キー１１で入力されるひらがな基本文字は３９字であり、３回の基本画キー１１で入力されるひらがな基本文字は７字である。図４で示された基本画キー１１の入力方法を例に挙げれば、基本文字「き」は、基本画
【００４７】
【数９】
2010525481.tif 000012
【００４８】
の３個で構成され、図３の基本画キー１１により基本画キー
【００４９】
【数１０】
2010525481.tif 000013
【００５０】
を押して基本画キー
【００５１】
【数１１】
2010525481.tif 000014
【００５２】
を押す動作を順次に移行して構成される。基本画キー
【００５３】
【数１２】
2010525481.tif 000015
【００５４】
を１回押すと、表示部７０には基本画
【００５５】
【数１３】
2010525481.tif 000016
【００５６】
が出力され、基本画キー
【００５７】
【数１４】
2010525481.tif 000017
【００５８】
を押すと、表示部７０には前記基本画
【００５９】
【数１５】
2010525481.tif 000018
【００６０】
が基本画
【００６１】
【数１６】
2010525481.tif 000019
【００６２】
に変換されながら基本文字「き」が表示部７０に出力されて完成し、基本画
【００６３】
【数１７】
2010525481.tif 000020
【００６４】
に対応する基本画キー
【００６５】
【数１８】
2010525481.tif 000021
【００６６】
を押さなくても良い。
【００６７】
好ましくは、文字形成部６０では、前記基本画キー１１の連続的な入力により形成される１個の基本文字が次に入力される基本画キー１１の入力により形成されるようにする自動完成アルゴリズムが内装されている。たとえ１個の前記基本画キー１１に２個の基本画が割り当てられていても、第１番目の基本画キー入力と第２番目の基本画キー入力により完成するひらがな基本文字は、前記文字形成部６０で自動生成され、第３番目の基本画キー入力が要する文字も、前記第１および第２番目の基本画キーと組み合わせをなす次の基本画キーが参照されて最終のひらがな文字が自動生成される。
【００６８】
前記の自動完成アルゴリズムに対する補充説明をするために基本文字「ら」を例に挙げれば、前記基本文字「ら」は基本画
【００６９】
【数１９】
2010525481.tif 000022
【００７０】
の組み合わせから形成されるが、実際図３の基本画キー１１に入力する時は、基本画キー
【００７１】
【数２０】
2010525481.tif 000023
【００７２】
と基本画キー
【００７３】
【数２１】
2010525481.tif 000024
【００７４】
を順次に入力することによって最後の基本画キー
【００７５】
【数２２】
2010525481.tif 000025
【００７６】
は入力せずに前記基本文字「ら」が完成される。
【００７７】
図５は、本発明の第２実施例による日本語入力装置であって、カタカナ文字の基本画とファンクションキーが割り当てられた入力キーを説明するための例示図である。
【００７８】
図５によれば、キーパッドの番号キー「１、２、３、４、５、６、７、８、９、０」には基本画１８個が割り当てられ、ファンクションキー「＊」には単語を濁音、半濁音または漢字に変換する機能が割り当てられ、ファンクションキー「＃」には文字を拗音に変換する機能が割り当てられる。
【００７９】
前記基本画は、
【００８０】
【数２３】
2010525481.tif 000026
【００８１】
からなり、２個の基本画キー２１にそれぞれ１個の前記基本画が割り当てられ、８個の基本画キー２１にそれぞれ２個ずつの前記基本画が割り当てられる。つまり、基本画キー２１−１、２１−４には、それぞれ
【００８２】
【数２４】
2010525481.tif 000027
【００８３】
が割り当てられ、基本画キー２１−２、２１−３、２１−５、２１−６、２１−７、２１−８、２１−９、２１−０には、それぞれ
【００８４】
【数２５】
2010525481.tif 000028
【００８５】
が割り当てられる。
【００８６】
前記基本画は使用頻度を考慮して再配置されることもでき、２個ずつ割り当てられるキーを変形して適用されることもできる。また、ファンクションキーも適用される機器により位置または割り当てられる方式などを変形して適用されることもできる。
【００８７】
以下の表２は、カタカナ基本文字を形成するための前記基本画の組み合わせおよび前記基本画が入力される順序を示す表である。前記表２で説明されるように、基本文字は対応する基本画の組み合わせと基本画の筆順で示した。
【００８８】
【表２】
2010525481.tif 000029
【００８９】
図６は、図５のキーパッドを用いてカタカナ基本文字を入力する方法を示す図面である。図６によれば、２回の基本画キー２１で入力されるカタカナ基本文字は４２字であり、３回の基本画キー２１で入力されるカタカナ基本文字は４字である。このような本発明の基本文字入力方法を図１の従来の方法と比較すると、図１の従来の方法では、全ての基本文字を一字ずつ全て入力するのに１３２回のボタンを押さなければならないが、本発明の基本文字入力方法では、全ての基本文字を一字ずつ全て入力するのに９６回のボタンを押せば良い。たとえ実生活では各基本文字の使用頻度に応じて平均的に同一な文章を完成するのに押さなければならないボタンの回数は違うが、本発明と従来の方法を比較するとその差異点は明確であると言える。
【００９０】
図６で示された基本画キー２１の入力方法は、図４で説明した方法と同一な方法で入力されるので本説明では省略する。また、ひらがな文字入力と同一な方式で、文字形成部６０では、前記基本画キー１１の連続的な入力により形成される１個の基本文字は次に入力される基本画キー１１の入力により形成される自動完成アルゴリズムが内装されている。
【００９１】
図７は、本発明の第３実施例によるひらがな基本文字入力方法を示す図面である。図７によるひらがな入力方法は、表１で示された基本文字を構成する基本画のうち、
【００９２】
【数２６】
2010525481.tif 000030
【００９３】
を基本画キーに設定し、それぞれのひらがな基本文字を一つ以上の方法で入力することができる。一例として、「き」を入力するためには
【００９４】
【数２７】
2010525481.tif 000031
【００９５】
を順次に入力したり、
【００９６】
【数２８】
2010525481.tif 000032
【００９７】
を順次に入力したり、
【００９８】
【数２９】
2010525481.tif 000033
【００９９】
を順次に入力して行われる。したがって、図７で示された本発明の日本語入力方法は、ひらがな基本文字を構成する基本画から抽出された基本画キーのうち、各基本文字を構成する基本画またはそれと類似する基本画キーを選択して入力することができる。
【０１００】
前記基本画キーは１３個の基本画から構成されるので、総１３個以上の入力キーが備えられたキー入力部１００が必要である。
【０１０１】
図７のひらがな基本文字入力方法は、前記基本画キーのうち、
【０１０２】
【数３０】
2010525481.tif 000034
【０１０３】
だけで構成された９個の基本画キーから行われることができる。一例として、前記「き」を入力するためには、
【０１０４】
【数３１】
2010525481.tif 000035
【０１０５】
を順次に入力したり、
【０１０６】
【数３２】
2010525481.tif 000036
【０１０７】
を順次に入力して行われ、前記
【０１０８】
【数３３】
2010525481.tif 000037
【０１０９】
の入力方法は、
【０１１０】
【数３４】
2010525481.tif 000038
【０１１１】
キーが基本画キーに含まれていないので、使用されない。
【０１１２】
したがって、基本文字を入力するために設定される基本画キーは多様に選択されることができ、前記と異なる他の基本画キーは、
【０１１３】
【数３５】
2010525481.tif 000039
【０１１４】
または
【０１１５】
【数３６】
2010525481.tif 000040
【０１１６】
または
【０１１７】
【数３７】
2010525481.tif 000041
【０１１８】
または
【０１１９】
【数３８】
2010525481.tif 000042
【０１２０】
または
【０１２１】
【数３９】
2010525481.tif 000043
【０１２２】
のうちのいずれか一つで選択されることができる。前記の基本画キーのうち、
【０１２３】
【数４０】
2010525481.tif 000044
【０１２４】
または
【０１２５】
【数４１】
2010525481.tif 000045
【０１２６】
に含まれない
【０１２７】
【数４２】
2010525481.tif 000046
【０１２８】
または
【０１２９】
【数４３】
2010525481.tif 000047
【０１３０】
は、
【０１３１】
【数４４】
2010525481.tif 000048
【０１３２】
を２回連続入力または長く入力することによって形成される。前記の基本画キーのうち、
【０１３３】
【数４５】
2010525481.tif 000049
【０１３４】
に含まれない
【０１３５】
【数４６】
2010525481.tif 000050
【０１３６】
は、
【０１３７】
【数４７】
2010525481.tif 000051
【０１３８】
を２回連続入力または長く入力することによって形成される。前記の基本画キーのうち、
【０１３９】
【数４８】
2010525481.tif 000052
【０１４０】
に含まれない
【０１４１】
【数４９】
2010525481.tif 000053
【０１４２】
は、
【０１４３】
【数５０】
2010525481.tif 000054
【０１４４】
の入力で、
【０１４５】
【数５１】
2010525481.tif 000055
【０１４６】
は
【０１４７】
【数５２】
2010525481.tif 000056
【０１４８】
の入力で形成される。また、
【０１４９】
【数５３】
2010525481.tif 000057
【０１５０】
は
【０１５１】
【数５４】
2010525481.tif 000058
【０１５２】
の入力で形成される。
【０１５３】
図８は、本発明の第４実施例によるカタカナ基本文字入力方法を示す図面である。
図８によるカタカナ基本文字入力方法は、表２で示された基本文字を構成する基本画のうち、
【０１５４】
【数５５】
2010525481.tif 000059
【０１５５】
を基本画キーに設定し、それぞれのカタカナ基本文字を一つ以上の方法で入力することができる。したがって、図８で示された本発明の日本語入力方法は、カタカナ基本文字を構成する基本画から抽出された基本画キーのうち、各基本文字を構成する基本画またはそれと類似する基本画キーを選択して入力することができる。
【０１５６】
前記基本画キーは１４個の基本画から構成されるので、総１３個以上の入力キーが備えられたキー入力部１０が必要である。
【０１５７】
また、前記基本画キーは
【０１５８】
【数５６】
2010525481.tif 000060
【０１５９】
または
【０１６０】
【数５７】
2010525481.tif 000061
【０１６１】
のうちのいずれか一つの基本画キーのグループからなることができる。これに対する詳細な説明は図７と同一であるので省略する。
【符号の説明】
【０１６２】
３０  制御部
４０  基本画データ保存部
５０  文字データ保存部
６０  文字形成部
７０  形成された文字を出力する表示部
１００  キー入力部
【図１】
2010525481.tif 000080
【図２】
2010525481.tif 000081
【図３】
2010525481.tif 000082
【図４】
2010525481.tif 000083
【図５】
2010525481.tif 000084
【図６】
2010525481.tif 000085
【図７】
2010525481.tif 000086
【図８】
2010525481.tif 000087
【国際調査報告】
2010525481.tif 000088
2010525481.tif 000089